(57)【要約】【課題】  車内等において無線通信によりＡＶコンテンツをダウンロードしてリアルタイム再生を行う際に、通信不能領域を通過する場合でもデータが欠落することなく、容易にリアルタイム再生を行うことができるデータ再生システムを提供する。【解決手段】  車載用再生装置１００は、コンテンツデータの受信および通信状態の検出を行う通信部１０４と、受信されたコンテンツデータまたはリムーバブルメディア１０に記録されている通信不能エリア用事前データのどちらかを通信状態に基づいて選択する再生制御部１０２と、選択されたデータを再生する再生部１０３とを備える。一方、家庭用記録装置２００は、ルート情報および通信不能エリア情報に基づいて通信不能予測時間を生成する通信不能時間予測部２０５と、通信不能予測時間に基づいてリムーバブルメディア１０に書き込む通信不能エリア用事前データを決定する制御部２０３とを備える。【選択図】        図１
2005311631.tif 000002
【特許請求の範囲】
【請求項１】
蓄積しているコンテンツデータを送信する記録装置と、前記記録装置から送信されたコンテンツデータを受信し、受信した前記コンテンツデータを再生する再生装置とを備えるデータ再生システムであって、
前記記録装置は、
前記再生装置からの要求に応じて前記コンテンツデータを送信する通信手段を備え、
前記再生装置は、
前記記録装置から送信された前記コンテンツデータの受信および通信状態の検出を行う通信手段と、
前記通信手段により受信された前記コンテンツデータ、または前記コンテンツデータの中で通信不能エリア内で再生されるシーンデータとしてあらかじめ記録されている通信不能エリア用事前データの何れか１つを前記通信状態に基づいて選択する再生制御手段と、
選択された前記コンテンツデータまたは前記通信不能エリア用事前データを再生する再生手段とを備える
ことを特徴とするデータ再生システム。
【請求項２】
前記記録装置は、さらに、
目的地までのルート情報、および前記記録装置と前記再生装置とが通信を行うことができないエリアを示す通信不能エリア情報を取得し、前記ルート情報および前記通信不能エリア情報に基づいて通信不能予測時間を生成する通信不能時間予測手段と、
コンテンツデータの選択を受け付け、受け付けた前記コンテンツデータの中で前記通信不能予測時間に相当する部分のデータを前記通信不能エリア用事前データとして決定する制御手段と、
前記通信不能エリア用事前データをリムーバブルメディアに書き込む記録手段とを備え、
前記再生装置は、さらに、
前記リムーバブルメディアから前記通信不能エリア用事前データを読み出す読出手段を備え、
前記再生制御手段は、前記通信状態に基づいて前記記録装置との通信が可能であると判断した場合には、前記コンテンツデータを選択し、一方、前記記録装置との通信が不可能であると判断した場合には、前記通信不能エリア用事前データを選択し、
前記再生手段は、前記記録装置との通信が不可能であると判断されている場合には、前記リムーバブルメディアから読み出された前記通信不能エリア用事前データを再生する
ことを特徴とする請求項１記載のデータ再生システム。
【請求項３】
前記再生装置は、さらに、
目的地までのルート情報、および前記記録装置と前記再生装置とが通信を行うことができないエリアを示す通信不能エリア情報を取得し、前記ルート情報および前記通信不能エリア情報に基づいて通信不能予測時間を生成する通信不能時間予測手段と、
前記再生手段により再生されている前記コンテンツデータの中で前記通信不能予測時間に相当する部分のデータを前記通信不能エリア用事前データとして事前に送信するように前記記録装置へ要求する要求手段と、
前記記録装置から送信された前記通信不能エリア用事前データを保存する保存手段とを備え、
前記記録装置の通信手段は、前記再生装置からの要求に応じて前記通信不能エリア用事前データを送信し、
前記再生制御手段は、前記通信状態に基づいて前記記録装置との通信が可能であると判断した場合には、前記コンテンツデータを選択し、一方、前記記録装置との通信が不可能であると判断した場合には、前記通信不能エリア用事前データを選択し、
前記再生手段は、前記記録装置との通信が不可能であると判断されている場合には、前記保存手段に保存されている前記通信不能エリア用事前データを再生する
ことを特徴とする請求項１記載のデータ再生システム。
【請求項４】
前記通信不能時間予測手段は、所定時間ごとに前記ルート情報を取得して前記通信不能予測時間を更新し、
前記要求手段は、更新された前記通信不能予測時間に基づいた前記通信不能エリア用事前データを送信するように前記記録装置へ要求する
ことを特徴とする請求項３記載のデータ再生システム。
【請求項５】
前記要求手段は、前記再生装置が前記通信不能エリアに到達するまでに前記通信不能エリア用事前データの受信が完了するように、前記通信状態および前記通信不能予測時間に基づいて要求タイミングを算出し、算出した前記要求タイミングで前記通信不能エリア用事前データを送信するように前記記録装置へ要求する
ことを特徴とする請求項３または請求項４記載のデータ再生システム。
【請求項６】
前記通信不能時間予測手段は、前記ルート情報および前記通信不能エリア情報に基づいて、前記記録装置と前記再生装置とが通信を行うことができない通信不能エリアに入る予測時間から所定時間を減じた時間を前記通信不能開始タイミング、前記通信不能エリアを出る予測時間に所定時間を加えた時間を前記通信不能終了タイミングとして生成する
ことを特徴とする請求項２または請求項３記載のデータ再生システム。
【請求項７】
前記記録装置は、さらに、
前記コンテンツデータを蓄積している記憶手段を備える
ことを特徴とする請求項１記載のデータ再生システム。
【請求項８】
前記記録装置は、さらに、
前記目的地を受け付ける目的地受付手段と、
前記目的地までのルート情報を決定するルート決定手段とを備える
ことを特徴とする請求項１記載のデータ再生システム。
【請求項９】
前記再生装置は、さらに、
前記目的地を受け付ける目的地受付手段と、
前記目的地までのルート情報を決定するルート決定手段とを備える
ことを特徴とする請求項１記載のデータ再生システム。
【請求項１０】
前記記録装置は、さらに、
前記記録装置と前記再生装置とが通信を行うことができないエリアを示す通信不能エリア情報を管理する通信不能エリア管理手段を備える
ことを特徴とする請求項１記載のデータ再生システム。
【請求項１１】
前記再生装置は、さらに、
前記記録装置と前記再生装置とが通信を行うことができないエリアを示す通信不能エリア情報を管理する通信不能エリア管理手段を備える
ことを特徴とする請求項１記載のデータ再生システム。
【請求項１２】
他の装置から送信されたコンテンツデータを受信し、受信した前記コンテンツデータを再生するデータ再生装置であって、
前記他の装置から送信された前記コンテンツデータの受信および通信状態の検出を行う通信手段と、
前記通信手段により受信された前記コンテンツデータ、または前記コンテンツデータの中で通信不能エリア内で再生されるシーンデータとしてあらかじめ記録されている通信不能エリア用事前データの何れか１つを前記通信状態に基づいて選択し、選択した前記コンテンツデータまたは前記通信不能エリア用事前データを再生する再生制御手段と
を備えることを特徴とするデータ再生装置。
【請求項１３】
前記データ再生装置は、さらに、
前記通信不能エリア用事前データが記録されたリムーバブルメディアから前記通信不能エリア用事前データを読み出す読出手段を備え、
前記再生制御手段は、前記通信状態に基づいて前記他の装置との通信が可能であると判断した場合には、前記コンテンツデータを選択し、一方、前記他の装置との通信が不可能であると判断した場合には、前記通信不能エリア用事前データを選択し、
前記再生手段は、前記他の装置との通信が不可能であると判断されている場合には、前記リムーバブルメディアから読み出された前記通信不能エリア用事前データを再生する
ことを特徴とする請求項１２記載のデータ再生装置。
【請求項１４】
前記再生装置は、さらに、
目的地までのルート情報、および前記他の装置との通信を行うことができないエリアを示す通信不能エリア情報を取得し、前記ルート情報および前記通信不能エリア情報に基づいて通信不能予測時間を生成する通信不能時間予測手段と、
前記再生手段により再生されている前記コンテンツデータの中で前記通信不能予測時間に相当する部分のデータを前記通信不能エリア用事前データとして事前に送信するように前記他の装置へ要求する要求手段と、
前記他の装置から送信された前記通信不能エリア用事前データを保存する保存手段とを備え、
前記再生制御手段は、前記通信状態に基づいて前記他の装置との通信が可能であると判断した場合には、前記コンテンツデータを選択し、一方、前記他の装置との通信が不可能であると判断した場合には、前記通信不能エリア用事前データを選択し、
前記再生手段は、前記他の装置との通信が不可能であると判断されている場合には、前記保存手段に保存されている前記通信不能エリア用事前データを再生する
ことを特徴とする請求項１２記載のデータ再生装置。
【請求項１５】
前記通信不能時間予測手段は、前記ルート情報および前記通信不能エリア情報に基づいて、前記他の装置との通信を行うことができない通信不能エリアに入る予測時間から所定時間を減じた時間を前記通信不能開始タイミング、前記通信不能エリアを出る予測時間に所定時間を加えた時間を前記通信不能終了タイミングとして生成する
ことを特徴とする請求項１３または請求項１４記載のデータ再生装置。
【請求項１６】
コンテンツデータを受信し、受信した前記コンテンツデータを再生するデータ再生方法であって、
前記コンテンツデータの受信および通信状態の検出を行う通信ステップと、
前記通信ステップにより受信された前記コンテンツデータ、または前記コンテンツデータの中で通信不能エリア内で再生されるシーンデータとしてあらかじめ記録されている通信不能エリア用事前データの何れか１つを前記通信状態に基づいて選択し、選択した前記コンテンツデータまたは前記通信不能エリア用事前データを再生する再生制御ステップと
を含むことを特徴とするデータ再生方法。
【請求項１７】
コンテンツデータを受信し、受信した前記コンテンツデータを再生するためのプログラムであって、
請求項１６記載のデータ再生方法に含まれるステップをコンピュータに実行させる
ことを特徴とするプログラム。
【発明の詳細な説明】
【技術分野】
【０００１】
本発明は、無線通信にてコンテンツデータをダウンロードしてリアルタイム再生する再生システムおよびデータ再生装置に関する。
【背景技術】
【０００２】
近年、家庭内に設けられる装置では、ネットワークを介して家庭内の他の装置や家庭外よりＡＶ（Audio Visual）コンテンツをダウンロードしながらリアルタイム再生を行うことができる。また、車内においても通信環境が整いつつあり、様々なデータを車外から受信して、車載機器で利用するということができるようになりつつある。
【０００３】
このような車載機器としては、地図情報を受信してリアルタイムでユーザにナビゲーションを行うという「地図情報ナビゲーション送信サーバ」が提案されている（例えば、特許文献１参照。）。この地図情報ナビゲーション送信サーバでは、通信不能領域を検出して、その領域の地図データを事前に得ておき、連続的なナビゲーションを可能にしている。これにより、ユーザはいかなる場所においてもナビゲーションサービスを利用することができる。
【特許文献１】特開２００２−１１６０３２号公報
【発明の開示】
【発明が解決しようとする課題】
【０００４】
しかしながら、特許文献１の発明では地図情報や経路情報についての記載しかなく、ＡＶコンテンツについては述べられていない。地図情報や経路情報には時間軸の要素が含まれていないため、通信不能領域がわかれば必要な情報は一意に決定する。一方、ＡＶコンテンツの場合、例えばビデオデータであれば、時間の経過によって視聴シーンが変化するため、通信不能領域が事前にわかったとしてもどのシーンのデータを先読みすればよいかは一意に決めることができないという問題がある。
【０００５】
また、車内で視聴するＡＶコンテンツデータを全てリムーバブルメディアにて車内に持ち込むという手段も考えられるが、特にビデオデータの場合はそのデータ量が膨大であるため、リムーバブルメディアの容量不足やデータ書き込み時間がかかってしまうという問題がある。
【０００６】
そこで、本発明は上記の事情に鑑みてなされたものであり、車内等において無線通信によりＡＶコンテンツをダウンロードしてリアルタイム再生を行う際に、通信不能領域を通過する場合でもデータが欠落することなく、容易にリアルタイム再生を行うことができるデータ再生システム、データ再生装置およびデータ再生方法を提供することを目的とする。
【課題を解決するための手段】
【０００７】
上記目的を達成するため、本発明に係るデータ再生システムは、蓄積しているコンテンツデータを送信する記録装置と、前記記録装置から送信されたコンテンツデータを受信し、受信した前記コンテンツデータを再生する再生装置とを備えるデータ再生システムであって、前記記録装置は、前記再生装置からの要求に応じて前記コンテンツデータを送信する通信手段を備え、前記再生装置は、前記記録装置から送信された前記コンテンツデータの受信および通信状態の検出を行う通信手段と、前記通信手段により受信された前記コンテンツデータ、または前記コンテンツデータの中で通信不能エリア内で再生されるシーンデータとしてあらかじめ記録されている通信不能エリア用事前データの何れか１つを前記通信状態に基づいて選択する再生制御手段と、選択された前記コンテンツデータまたは前記通信不能エリア用事前データを再生する再生手段とを備えることを特徴とする。
【０００８】
これによって、受信したコンテンツデータまたはあらかじめ記録されている通信不能エリア用事前データの何れかを通信状態に応じて再生するので、通信が不可能なエリアにおいてもシーンが途切れることなく所望のコンテンツを再生することができる。
【０００９】
ここで、前記記録装置は、さらに、目的地までのルート情報、および前記記録装置と前記再生装置とが通信を行うことができないエリアを示す通信不能エリア情報を取得し、前記ルート情報および前記通信不能エリア情報に基づいて通信不能予測時間を生成する通信不能時間予測手段と、コンテンツデータの選択を受け付け、受け付けた前記コンテンツデータの中で前記通信不能予測時間に相当する部分のデータを前記通信不能エリア用事前データとして決定する制御手段と、前記通信不能エリア用事前データをリムーバブルメディアに書き込む記録手段とを備え、前記再生装置は、さらに、前記リムーバブルメディアから前記通信不能エリア用事前データを読み出す読出手段を備え、前記再生制御手段は、前記通信状態に基づいて前記記録装置との通信が可能であると判断した場合には、前記コンテンツデータを選択し、一方、前記記録装置との通信が不可能であると判断した場合には、前記通信不能エリア用事前データを選択し、前記再生手段は、前記記録装置との通信が不可能であると判断されている場合には、前記リムーバブルメディアから読み出された前記通信不能エリア用事前データを再生してもよい。
【００１０】
これによって、コンテンツデータの中で通信不能予測時間に相当する部分のデータだけをリムーバブルメディアに書き込んでいるので、全てのデータをリムーバブルメディアに書き込んで車内に持ち込む場合に比較して、リムーバブルメディアの容量が小さくてよく、また書き込み時間を短縮することができる。
【００１１】
また、前記再生装置は、さらに、目的地までのルート情報、および前記記録装置と前記再生装置とが通信を行うことができないエリアを示す通信不能エリア情報を取得し、前記ルート情報および前記通信不能エリア情報に基づいて通信不能予測時間を生成する通信不能時間予測手段と、前記再生手段により再生されている前記コンテンツデータの中で前記通信不能予測時間に相当する部分のデータを前記通信不能エリア用事前データとして事前に送信するように前記記録装置へ要求する要求手段と、前記記録装置から送信された前記通信不能エリア用事前データを保存する保存手段とを備え、前記記録装置の通信手段は、前記再生装置からの要求に応じて前記通信不能エリア用事前データを送信し、前記再生制御手段は、前記通信状態に基づいて前記記録装置との通信が可能であると判断した場合には、前記コンテンツデータを選択し、一方、前記記録装置との通信が不可能であると判断した場合には、前記通信不能エリア用事前データを選択し、前記再生手段は、前記記録装置との通信が不可能であると判断されている場合には、前記保存手段に保存されている前記通信不能エリア用事前データを再生してもよい。
【００１２】
これによって、通信不能エリア用事前データを事前にダウンロードして保存しておくことができるので、通信が不可能なエリアにおいてもシーンが途切れることなく所望のコンテンツを再生することができる。
【００１３】
ここで、前記通信不能時間予測手段は、所定時間ごとに前記ルート情報を取得して前記通信不能予測時間を更新し、前記要求手段は、更新された前記通信不能予測時間に基づいた前記通信不能エリア用事前データを送信するように前記記録装置へ要求することが好ましい。
【００１４】
これによって、例えば予定ルートを変更した場合であっても、通信不能なエリアを確実に検出でき、通信不能エリア用事前データを事前にダウンロードして保存しておくことができる。
【００１５】
また、本発明に係るデータ再生装置は、他の装置から送信されたコンテンツデータを受信し、受信した前記コンテンツデータを再生するデータ再生装置であって、前記他の装置から送信された前記コンテンツデータの受信および通信状態の検出を行う通信手段と、前記通信手段により受信された前記コンテンツデータ、または前記コンテンツデータの中で通信不能エリア内で再生されるシーンデータとしてあらかじめ記録されている通信不能エリア用事前データの何れか１つを前記通信状態に基づいて選択し、選択した前記コンテンツデータまたは前記通信不能エリア用事前データを再生する再生制御手段とを備えることを特徴とする。
【００１６】
これによって、受信したコンテンツデータまたはあらかじめ記録されている通信不能エリア用事前データの何れかを通信状態に応じて再生するので、通信が不可能なエリアにおいてもシーンが途切れることなく所望のコンテンツを再生することができる。
【００１７】
なお、本発明は、このようなデータ再生システムやデータ再生装置として実現することができるだけでなく、このようなデータ再生システムやデータ再生装置が備える特徴的な手段をステップとする方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１８】
本発明に係るデータ再生システム、データ再生装置およびデータ再生方法によれば、例えば記録装置から送信されたコンテンツデータを受信してリアルタイム再生を行う際に、通信不能なエリアを通過する場合においてもシーンが途切れることなく再生を行うことができる。よって、例えばコンテンツデータを受信してリアルタイム再生を行う機会が増えている今日における実用的価値は極めて高い。
【発明を実施するための最良の形態】
【００１９】
以下、本発明の各実施の形態について、それぞれ図面を用いて説明する。
（実施の形態１）
本実施の形態１では、家庭用記録装置内に蓄えられたデジタルコンテンツを車内でリアルタイム再生するときに、通信不能なエリアで視聴するシーンのデータのみを事前にリムーバブルメディアにて車内に持ち込むことで、シーンが欠落することなくシームレスな再生を可能とするデータ再生システムについて説明する。
【００２０】
図１は、本発明の実施の形態１に係るデータ再生システムの構成を示すブロック図である。このデータ再生システムは、家庭用記録装置から送信されるコンテンツデータを車載用再生装置でリアルタイム再生するシステムであり、図１に示すように車両に搭載された車載用再生装置１００および例えば自宅等に設置された家庭用記録装置２００を備えている。
【００２１】
本実施の形態１では、車載用再生装置１００と家庭用記録装置２００が互いの通信部を介して高速無線通信が可能であり、車載用再生装置１００が家庭用記録装置２００内のビデオデータをダウンロードしてリアルタイム再生することを想定する。また、家庭用記録装置２００内のデータの一部を記録したリムーバブルメディア１０は車載用再生装置１００にて再生することが可能であるとする。リムーバブルメディア１０には例えばＤＶＤ−ＲＡＭ（Digital Versatile Disk Random Access Memory）を用いるものとする。なお、車内では運転中に運転者がビデオデータを視聴することは安全上の問題から認められていないので、本発明では同乗者が視聴することを想定する。
【００２２】
車載用再生装置１００は、ドライブ装置１０１、再生制御部１０２、再生部１０３、および通信部１０４を備えている。また、車載用再生装置１００には、車載用再生装置１００により再生されたデータを表示する表示部１０５、ユーザが機器操作を行う操作部１０６が接続されている。
【００２３】
ドライブ装置１０１は、リムーバブルメディア１０に記録されているデータを読み出す読出手段である。通信部１０４は、家庭用記録装置２００から送信されたコンテンツデータの受信を行うとともに、通信状態の検出を行う。再生制御部１０２は、ユーザより操作部１０６を介して指定されたコンテンツデータの送信を家庭用記録装置２００へ要求する。また、再生制御部１０２は、通信部１０４により受信されたコンテンツデータ（以下、受信データという）またはリムーバブルメディア１０に記録されている通信不能エリア用事前データのどちらかを通信状態に基づいて選択する。再生部１０３は、再生制御部１０２により選択された受信データまたは通信不能エリア用事前データを伸長することで再生し、表示部１０５へ出力する。
【００２４】
一方、家庭用記録装置２００は、ドライブ装置２０１、通信部２０２、制御部２０３、コンテンツ記憶部２０４、および通信不能時間予測部２０５を備えている。また、家庭用記録装置２００には、操作部２０６、ルート決定部２０７、および通信不能エリアＤＢ（Data Base）管理部２０８が接続されている。
【００２５】
ルート決定部２０７は、例えば着脱可能なカーナビゲーションシステム等であり、目的地までのルート設定を行い、ルート情報を出力する。通信不能エリアＤＢ（Data Base）管理部２０８は、車載用再生装置１００と家庭用記録装置２００とが通信を行うことができない通信不能エリアを示す通信不能エリア情報がデータベース化されている通信不能エリアＤＢを有している。ここで、通信不能エリアとは、ビデオデータをリアルタイム再生することができないエリアのこととし、例えばトンネルや山郭地域など通信が全くできないエリアや通信が不安定なエリアのことである。
【００２６】
コンテンツ記憶部２０４は、例えばＭＰＥＧ−２（Moving Picture Experts Group phase 2）などの圧縮方式により圧縮されたコンテンツデータを記憶している。通信部２０２は、車載用再生装置１００から要求されたコンテンツデータをコンテンツ記憶部２０４から読み出し、車載用再生装置１００へ送信する。
【００２７】
通信不能時間予測部２０５は、ルート情報および通信不能エリア情報を取得し、ルート情報および通信不能エリア情報に基づいて通信不能予測時間を生成する。制御部２０３は、ユーザより操作部２０６を介して指定されたコンテンツデータの中で通信不能予測時間に相当する部分のデータを通信不能エリア用事前データとして決定する。ドライブ装置２０１は、制御部２０３により決定された通信不能エリア用事前データをリムーバブルメディア１０に書き込む記録手段である。
【００２８】
次に、上記のように構成されたデータ再生システムの動作には、大別して車載用再生装置１００にて所望のコンテンツをシームレスに再生するための家庭用記録装置２００における再生準備処理と、車載用再生装置１００におけるコンテンツの再生処理とがある。
【００２９】
まず、家庭用記録装置２００における再生準備処理について説明する。再生準備処理では、車内へ持ち込むデータを決定し、そのデータをリムーバブルメディア１０に書き込む処理を行う。図２は再生準備処理の動作の流れを示すフローチャートである。以下にその動作の詳細を説明する。
【００３０】
まず、目的地までのルートを決定する（ステップＳ１０１）。具体的にはルート決定部２０７は、ユーザより指定された目的地までのルート設定を行って、ルート情報を出力する。このルート設定の方法については、カーナビゲーションにおけるルート探索などの従来技術を用いればよく、本発明の主たる問題ではないため詳細は割愛する。
【００３１】
次に、制御部２０３は、ユーザによる車内で視聴するコンテンツの選択を受け付ける（ステップＳ１０２）。ここで、ユーザによるコンテンツの選択は、例えばコンテンツ記憶部２０４に記憶されているコンテンツのリストから所望のコンテンツが操作部２０６を用いて選択されることで行われる。
【００３２】
次に、持ち出しデータ決定処理を行う（ステップＳ１０３）。持ち出しデータ決定処理とは、車内に持ち込むリムーバブルメディア１０に書き込むデータ（通信不能エリア用事前データ）を決定する処理である。具体的には、まず、通信不能時間予測部２０５は、ルート決定部２０７で決定されたルート情報と通信不能エリアＤＢ管理部２０８より取得した通信不能エリア情報とにより、ルート上で通信不能となる区間の通過タイミングを算出し、制御部２０３へ通知する。
【００３３】
図３は、再生準備処理における持ち出しデータ決定処理を説明した図であり、（ａ）目的地までのルートの一例を示す模式図、（ｂ）通信不能区間の通過タイミングの一例を示す図である。なお、図３（ａ）では説明を簡略化するために、ルート決定部２０７で設定されたルート３０１の出発地点（Start）３０２から目的地（Goal）３０３までを直線で示している。また、通信不能区間３０４ａ〜３０４ｄは、通信不能時間予測部２０５により通信不能と判断された区間である。
【００３４】
通信不能時間予測部２０５は、図３（ｂ）に示すように通過タイミング情報３０５として、各通信不能区間３０４ａ〜３０４ｄについて通信不能開始タイミングおよび通信不能終了タイミングを算出する。ここでは、通信不能開始タイミングは、出発から通信不能エリアの始点に到達するまでの標準時間に対して所定時間を減じた時間である。また、通信不能終了タイミングは、出発から通信不能エリアの終点に到達するまでの標準時間に対して所定時間を加えた時間である。なお、この所定時間については、信号停止や渋滞状況などを考慮して算出しても構わない。
【００３５】
区間１（３０４ａ）を例に説明すると、「出発して１３分３２秒〜１６分４３秒の間に通信不能な区間（３０４ａ）を走行する可能性がある」という情報がここで得られる。他の区間（３０４ｂ〜３０４ｄ）についても同様である。逆に言うと、ここで得られた時間以外は通信可能であると判断された時間である。
【００３６】
通過タイミング情報３０５が通知された制御部２０３は、通過タイミング情報３０５に基づいてリムーバブルメディア１０へ書き込むデータを決定する。例えば、区間１（３０４ａ）については、コンテンツの１３分３２秒〜１６分４３秒のシーンのデータがリムーバブルメディア１０に書き込まれる通信不能エリア用事前データとなる。通信不能開始タイミングと通信不能終了タイミングを上記のように設定するため、通信不能エリアで再生するシーンを適切に抽出することができる。同様に区間２（３０４ｂ）についてはコンテンツの１９分５５秒〜２９分４１秒のシーン、区間３（３０４ｃ）についてはコンテンツの４２分０２秒〜５０分１０秒のシーン、区間４（３０４ｄ）についてはコンテンツの５１分４４〜６１分２９秒のシーン、のそれぞれのデータがリムーバブルメディア１０に書き込まれる通信不能エリア用事前データと決定される。
【００３７】
次に、持ち出しデータ書き込み処理を行う（ステップＳ１０４）。具体的には、制御部２０３は、上記のように決定した通信不能エリア用事前データをドライブ装置２０１にセットされたリムーバブルメディア１０に書き込みを行う。このとき、制御部２０３は、リムーバブルメディア１０に書き込む通信不能エリア用事前データをドライブ装置２０１へ送るようにコンテンツ記憶部２０４を制御する。
【００３８】
以上の説明のとおり、各処理（ステップＳ１０１〜Ｓ１０４）を実行することで、車内に持ち込むリムーバブルメディア１０に必要なデータを書き込み、再生準備処理を完了する。
【００３９】
次に車載用再生装置１００におけるコンテンツの再生処理について説明する。図４は再生処理の動作の流れを示すフローチャートである。
まず、再生準備処理で通信不能エリア用事前データが書き込まれたリムーバブルメディア１０は、ユーザによって車内に持ち込まれ、ドライブ装置１０１にセットされる（ステップＳ２０１）。
【００４０】
次に、再生制御部１０２は、ユーザによる再生するコンテンツの選択を受け付ける（ステップＳ２０２）。ここでは、ユーザによるコンテンツの選択は操作部１０６を用いてメニュー等から行われ、上記の再生準備処理で準備されたコンテンツが選択されるものとする。
【００４１】
次に、再生制御部１０２は、車両の現在位置が通信可能であるか否かを判断する（ステップＳ２０３）。ここでは、通信が可能な場合でも所望のビデオデータをリアルタイム再生する程の帯域が確保できない場合は通信不可として判断する。この通信状態は、通信部１０４により検出されており、再生制御部１０２に通知される。
【００４２】
この判断の結果、車両の現在位置が通信可能である場合（ステップＳ２０３でＹＥＳ）には、車載用再生装置１００と家庭用記録装置２００とがビデオデータをリアルタイム再生するのに十分な帯域があると判断されたことを意味するため、車載用再生装置１００は家庭用記録装置２００から所望のデータをダウンロードする（ステップＳ２０４）。
【００４３】
一方、上記判断の結果、車両の現在位置が通信可能でない場合（ステップＳ２０３でＮＯ）には、車載用再生装置１００は家庭用記録装置２００からデータをダウンロードできないため、ドライブ装置１０１にセットされたリムーバブルメディア１０から、上記再生準備処理で書き込まれた通信不能エリア用事前データを読み出す（ステップＳ２０５）。
【００４４】
次に、再生部１０３は、家庭用記録装置２００から受信したデータ、またはリムーバブルメディア１０から読み出した通信不能エリア用事前データを伸長する（ステップＳ２０６）。なお、伸長されたデータは表示部１０５にて表示される（図示せず）。
【００４５】
次に、再生制御部１０２は、選択されたコンテンツの再生が終了したか、すなわち全てのデータを再生したか否かを判断する（ステップＳ２０７）。ここで、再生が終了したと判断した場合（ステップＳ２０７でＹＥＳ）には、再生制御部１０２は、そのまま再生処理を終了する。一方、再生が終了していないと判断した場合（ステップＳ２０７でＮＯ）には、再生制御部１０２は、次のシーンを再生するため、通信可能であるか否かを判断する処理（ステップＳ２０３）へ戻り上記の動作を繰り返す。
【００４６】
以上、説明したように本発明の実施の形態１における車載用再生装置１００では、家庭用記録装置２００から所望のコンテンツデータを受信しリアルタイム再生を行う。あらかじめリムーバブルメディア１０に通信不能となるエリアで再生する可能性のあるシーンのデータを書き込んで車に持ち込んでおき、家庭用記録装置２００と通信が不可能な場合はリムーバブルメディアよりそのシーンのデータを読み出しシーンが欠落することなく再生を行うことができる。また、全てのデータをリムーバブルメディアにて車内に持ち込むわけではないため、リムーバブルメディアの容量が小さくてよく、また書き込み時間を短縮することができる。
【００４７】
なお、本実施の形態では、図１に示すように車載用再生装置１００にドライブ装置１０１が内蔵される形態を示したが、車載用再生装置１００にドライブ装置１０１が接続される形態をとってもよい。同様に家庭用記録装置２００も、ドライブ装置２０１を接続する形態、ルート決定部２０７や通信不能エリアＤＢ管理部２０８を内蔵する形態としても同様のシステムを構築することができる。
【００４８】
また、車載用再生装置１００が家庭用記録装置２００からダウンロードしてリアルタイム再生するのはビデオデータとしたがこれに限られたものではない。オーディオデータやピクチャ（静止画）データ等の他のデジタルデータでもよい。あるいは、カーナビゲーションの地図データなどでも同様のシステムを構築することができる。
【００４９】
また、ルート決定部２０７にはカーナビゲーションシステムを用いるとしたがこれに限られたものではない。同様の機能を持つ機器やあるいはパーソナルコンピュータのアプリケーションなどでも同様のシステムを構築することができる。
【００５０】
また、車載用再生装置１００が家庭用記録装置２００からダウンロードするビデオデータはＭＰＥＧ−２で圧縮されているものとしたがこれに限られたものではない。例えばＭＰＥＧ−４（Moving Picture Experts Group phase 4）や他の動画データ圧縮手段を用いてもよい。あるいは記録ストレージの容量の増大、通信速度の向上など技術が進めば非圧縮のビデオデータでも同様のシステムを構築することができる。
【００５１】
また、再生準備処理において、複数のコンテンツについて同様の処理を行うことも可能である。複数の番組を続けて見るように設定してもよい。あるいは車内で見るものを複数の番組から選ぶようにしてもよい。この場合はそれぞれの番組データに対して通信不能となるエリアで再生するシーンのデータを車内に持ち込んでおけばよい。
【００５２】
また、図３において通過タイミングは秒単位まで行ったがこれに限られたものではない。更にコンマ以下の単位で行ってもよい。あるいは分単位で行い、秒単位は切り上げ・切捨てするなどしても同様のシステムを構築することができる。
【００５３】
また、コンテンツの再生処理においてコンテンツを選択（ステップＳ２０２）する際、コンテンツをメニューから選択するとしたがこれに限られたものではない。車載用再生装置１００の起動に合わせて自動的に再生を開始するとしてもよい。
【００５４】
また、コンテンツの再生処理において通信可能であるか否かの判断（ステップＳ２０３）を行う際に、ビデオデータを伝送する帯域が確保できない場合は通信不可とするとしたがこれに限られたものではない。例えば、蓄積されたコンテンツには十分な伝送帯域が確保できない場合でも、家庭用記録装置２００側で再圧縮して伝送レートを調整するなどして通信が可能な限りリアルタイム再生を行うとしても同様のシステムを構築することができる。
【００５５】
（実施の形態２）
実施の形態２では、リムーバブルメディアを用いずに家庭用記録装置内に蓄えられたデジタルコンテンツをシーンが途切れることなくリアルタイム再生することを可能とするデータ再生システムについて説明する。
【００５６】
図５は、本発明の実施の形態２に係るデータ送受信システムの構成を示すブロック図である。このデータ再生システムは、実施の形態１と同様に家庭用記録装置から送信されるコンテンツデータを車載用再生装置でリアルタイム再生するシステムであり、図５に示すように車両に搭載された車載用再生装置４００および例えば自宅等に設置された家庭用記録装置５００を備えている。なお、実施の形態１と同様の部分については同じ符号を付し、詳細な説明を省略する。
【００５７】
本実施の形態２では、実施の形態１と同様、家庭用記録装置５００に蓄積されているビデオデータをダウンロードしてリアルタイム再生を行うことを想定する。なお、車載用再生装置４００と家庭用記録装置５００は互いに高速通信が可能であり、ビデオデータをリアルタイム再生するのに必要な帯域以外にも伝送帯域を確保することができるものとする。
【００５８】
車載用再生装置４００は、再生制御部４０１、保存部４０２、要求部４０３、通信不能時間予測部４０４、再生部１０３、および通信部１０４を備えている。また、車載用再生装置４００には、表示部１０５、操作部１０６、通信不能エリアＤＢ管理部２０８、およびルート管理部４０５が接続されている。
【００５９】
通信不能時間予測部４０４は、所定の時間ごとに、ルート情報および通信不能エリア情報を取得し、ルート情報および通信不能エリア情報に基づいて通信不能予測時間を生成する。要求部４０３は、再生部１０３で再生されているコンテンツデータの中で通信不能予測時間に相当する部分のデータを通信不能エリア用事前データとして事前に送信するように通信部１０４を介して家庭用記録装置５００へ要求する。また、要求部４０３は、どのシーンを再生しているのかの情報を再生部１０３から取得する。
【００６０】
保存部４０２は、データを一時的に記憶しておくためのメモリ等であり、家庭用記録装置５００から送信された通信不能エリア用事前データを保存する。再生制御部４０１は、実施の形態１と同様にユーザより操作部１０６を介して指定されたコンテンツデータの送信を家庭用記録装置５００へ要求する。また、再生制御部４０１は、通信部１０４により受信されたコンテンツデータまたは保存部４０２に保存されている通信不能エリア用事前データのどちらかを通信状態に基づいて選択する。
【００６１】
ルート管理部４０５は、例えばカーナビゲーションシステム等であり、現在の車両の位置情報や今後の予定ルート情報を管理している。
一方、家庭用記録装置５００は、通信部２０２、制御部５０１、およびコンテンツ記憶部２０４を備えている。制御部５０１は、車載用再生装置４００からの要求に応じて通信不能エリア用事前データを車載用再生装置４００へ送信するようにコンテンツ記憶部２０４を制御する。
【００６２】
次に、上記のように構成されたデータ再生システムの動作について説明する。
図６は、本実施の形態２に係る車載用再生装置４００の再生処理の動作の流れを示すフローチャートである。車載用再生装置４００における再生処理も実施の形態１における車載用再生装置１００の再生処理と基本的には同様の動作をする。以下、動作の詳細を説明する。
【００６３】
まず、再生制御部４０１は、ユーザによる視聴するコンテンツの選択を受け付ける（ステップＳ３０１）。ここで、ユーザによるコンテンツの選択は、例えば家庭用記録装置５００からコンテンツ記憶部２０４に記憶されているコンテンツのリストを取得して、メニュー表示し、このリストから所望のコンテンツが操作部１０６を用いて選択されることで行われる。
【００６４】
次に、再生制御部４０１は、車両の現在位置が通信可能であるか否かを判断する（ステップＳ３０２）。ここでは、実施の形態１と同様に通信が可能な場合でも所望のビデオデータをリアルタイム再生する程の帯域が確保できない場合は通信不可として判断する。この通信状態は、通信部１０４により検出されており、再生制御部４０１に通知される。
【００６５】
この判断の結果、車両の現在位置が通信可能である場合（ステップＳ３０２でＹＥＳ）には、車載用再生装置４００と家庭用記録装置５００とがビデオデータをリアルタイム再生するのに十分な帯域があると判断されたことを意味するため、車載用再生装置４００は家庭用記録装置５００から所望のデータをダウンロードする（ステップＳ３０３）。
【００６６】
一方、上記判断の結果、車両の現在位置が通信可能でない場合（ステップＳ３０２でＮＯ）には、車載用再生装置４００は家庭用記録装置５００からデータをダウンロードできないため、保存部４０２から通信不能エリア用事前データを読み出す（ステップＳ３０４）。なお、この保存部４０２への通信不能エリア用事前データの保存については、後述する。
【００６７】
次に、再生部１０３は、家庭用記録装置５００から受信したデータ、または保存部４０２から読み出した通信不能エリア用事前データを伸長する（ステップＳ３０５）。なお、伸長されたデータは表示部１０５にて表示される（図示せず）。
【００６８】
次に、再生制御部４０１は、選択されたコンテンツの再生が終了したか、すなわち全てのデータを再生したか否かを判断する（ステップＳ３０６）。ここで、再生が終了したと判断した場合（ステップＳ３０６でＹＥＳ）には、再生制御部４０１は、そのまま再生処理を終了する。一方、再生が終了していないと判断した場合（ステップＳ３０６でＮＯ）には、再生制御部４０１は、次のシーンを再生するため、通信可能であるか否かを判断処理（ステップＳ３０２）へ戻り上記の動作を繰り返す。
【００６９】
先にも述べたように保存部４０２には通信不能エリアで再生するシーンのデータである通信不能エリア用事前データが事前に蓄積されている。図７は保存部４０２へのデータ事前蓄積処理の動作の流れを示すフローチャートである。以下にその詳細を説明する。
【００７０】
まず、通信不能時間予測部２０５は、所定時間ごとに通信不能エリアの検出を行う（ステップＳ４０１）。すなわち、通信不能時間予測部２０５は、ルート管理部４０５で決定された今後の予定ルート情報を所定時間（例えば１０分）ごとに取得し、このルート情報と通信不能エリアＤＢ管理部２０８より取得した通信不能エリア情報とにより、ルート上で通信不能となる区間の通過タイミングを算出し、予定ルート上の通信不能区間に入る所定の時間（例えば３０分）前に要求部４０３へ通知する。なお、実施の形態１と同様、ここでいう通信不能エリアとはビデオデータをリアルタイム再生することができないエリアのことである。
【００７１】
次に、要求部４０３は、現在ビデオデータを再生中か否かを確認する（ステップＳ４０２）。ここで、再生中でない場合（ステップＳ４０２でＹＥＳ）には、通信（ビデオデータのリアルタイム再生）を行っていないということであるため、今後通信不能になっても問題はないと判断して処理を終了する。
【００７２】
一方、再生中の場合（ステップＳ４０２でＹＥＳ）には、事前ダウンロードするデータを確認する（ステップＳ４０３）。要求部４０３は、通信不能時間予測部２０５から通知された通信不能区間の通信不能開始タイミングと通信不能終了タイミング、および現在の再生シーンに基づいて、事前ダウンロードする通信不能エリア用事前データを決定する。ここで、通信不能開始タイミングと通信不能終了タイミングの定義や、事前ダウンロードする通信不能エリア用事前データの決定方法は実施の形態１の図３で示したものと同様である。
【００７３】
次に、要求部４０３は、事前ダウンロードをする必要があるか否かを確認する（ステップＳ４０４）。事前ダウンロードする通信不能エリア用事前データを決定しているわけであるが、検出された通信不能区間までに再生が終わる場合はダウンロードする必要がないため、この場合（ステップＳ４０４でＮＯ）は処理を終了する。
【００７４】
一方、ダウンロードするべきデータがある場合（ステップＳ４０４でＹＥＳ）には、要求部４０３は、決定された通信不能エリア用事前データを送信するように家庭用記録装置５００へ要求し、ダウンロードを行う（ステップＳ４０５）。このダウンロードを行うときは基本的にリアルタイム再生が行われている。事前ダウンロード処理は通信不能区間に入るまでに完了すればよいので、通信帯域の確保はリアルタイム再生を優先する。
【００７５】
そして、ダウンロードされた通信不能エリア用事前データは、保存部４０２に保存され、処理を終了する（ステップＳ４０６）。実際の通信ではパケット通信などで行われるので、ダウンロードが完了するまでダウンロード（ステップＳ４０５）と保存（ステップＳ４０６）を交互に繰り返すことになる。
【００７６】
図８は、データ事前蓄積処理における通信不能エリア用事前データのダウンロードを示す模式図である。ここでは、下段がリアルタイム再生のためのデータのダウンロードであり、上段に示す斜線部分が通信不能区間３０４ａ〜３０４ｄで再生されるシーンのデータである通信不能エリア用事前データ６０１ａ〜６０１ｄである。
【００７７】
通信不能エリア用事前データ６０１ａ〜６０１ｄは、図８に示すようにそれぞれ通信不能区間３０４ａ〜３０４ｄに達するまでに、リアルタイム再生のためのデータのダウンロードと並行してダウンロードされ、保存部４０２に保存される。
【００７８】
上記のようにデータ事前蓄積処理を行うことにより、通信不能区間で再生するシーンのデータを事前に保存しておくことができる。また、通信不能時間予測部２０５は、所定時間ごとにルート情報を取得し、通信不能区間の通過タイミング情報を算出しているので、予定ルートを変更した場合にも対応することができる。
【００７９】
以上、説明した本発明の実施の形態２における車載用再生装置４００では、家庭用記録装置５００から所望のコンテンツデータを受信しリアルタイム再生を行う際に、通信不能エリアを検出し事前にそのエリアで再生するシーンのデータをダウンロードして保存しておくことで、通信不能エリア内を通過中であっても所望のコンテンツをシーンが途切れることなく再生を行うことができる。
【００８０】
なお、本実施の形態では、車載用再生装置４００は家庭用記録装置５００からデータを受信してリアルタイム再生するとしたがこれに限られたものではない。例えば、コンテンツプロバイダが所持するインターネット上にあるコンテンツサーバからデータを受信するとしても同様のシステムを構築することができる。
【００８１】
また、本実施の形態では、車載用再生装置４００が通信不能時間予測部２０５を備える構成としているが、これに限られたものではない。例えば、通信不能時間予測部２０５の機能をルート管理部４０５が有し、ルート管理部４０５が通信不能エリアＤＢ管理部２０８および要求部４０３と接続される構成でも構わない。また、ルート管理部４０５が通信不能エリアＤＢ管理部２０８を内蔵する形態としてもよい。あるいは、ルート管理部４０５が通信機能をもち、インターネット上のサーバにある通信不能エリアＤＢ管理部から情報を受信するとしても同様のシステムを構築することができる。
【００８２】
また、データ事前蓄積処理での通信不能エリアの検出（図７、ステップＳ４０１）において、通信不能時間予測部２０５は、予定ルート上の通信不能区間に入る所定の時間（例えば３０分）前に、通信不能区間の通過タイミングを要求部４０３へ通知するとしているが、これに限られたものではない。例えば、通信不能となる時間と通信不能エリアに入るまでの通信状態を予測し、事前ダウンロード処理が完了できるタイミングで通知するとしてもよい。あるいは、通信不能エリア検出後、即座にデータをダウンロードするようにしても同様のシステムを構築することができる。
【産業上の利用可能性】
【００８３】
以上のように、本発明に係るデータ再生システム、データ再生装置およびデータ再生方法は、通信不能エリアを通過する場合でもコンテンツデータのリアルタイム再生を可能にするという効果を有し、無線通信にてコンテンツデータをダウンロードしてリアルタイム再生するデータ再生システムに有用である。
【図面の簡単な説明】
【００８４】
【図１】本発明の実施の形態１に係るデータ再生システムの構成を示すブロック図である。
【図２】本発明の実施の形態１に係るデータ再生システムの再生準備処理の動作の流れを示すフローチャートである。
【図３】本発明の実施の形態１に係るデータ再生システムの再生準備処理における持ち出しデータ決定処理を説明した図であり、（ａ）目的地までのルートの一例を示す模式図、（ｂ）通信不能区間の通過タイミングの一例を示す図である。
【図４】本発明の実施の形態１に係るデータ再生システムの再生処理の動作の流れを示すフローチャートである。
【図５】本発明の実施の形態２に係るデータ再生システムの構成を示すブロック図である。
【図６】本発明の実施の形態２に係るデータ再生システムの再生処理の動作の流れを示すフローチャートである。
【図７】本発明の実施の形態２に係るデータ再生システムのデータ事前蓄積処理の動作の流れを示すフローチャートである。
【図８】本発明の実施の形態２に係るデータ再生システムのデータ事前蓄積処理における通信不能エリア用事前データのダウンロードを示す模式図である。
【符号の説明】
【００８５】
１０  リムーバブルメディア
１００，４００  車載用再生装置
１０１，２０１  ドライブ装置
１０２，４０１  再生制御部
１０３  再生部
１０４，２０２  通信部
１０５  表示部
１０６，２０６  操作部
２００，５００  家庭用記録装置
２０３，５０１  制御部
２０４  コンテンツ記憶部
２０５，４０４  通信不能時間予測部
２０７  ルート決定部
２０８  通信不能エリアＤＢ管理部
３０１  ルート決定手段にて設定されたルート
３０２  出発地点
３０３  目的地
３０４ａ，３０４ｂ，３０４ｃ，３０４ｄ  通信不能区間
３０５  通過タイミング情報
４０２  保存部
４０３  要求部
４０５  ルート管理部
６０１ａ，６０１ｂ，６０１ｃ，６０１ｄ  通信不能エリア用事前データ
【図１】
2005311631.tif 000003
【図２】
2005311631.tif 000004
【図３】
2005311631.tif 000005
【図４】
2005311631.tif 000006
【図５】
2005311631.tif 000007
【図６】
2005311631.tif 000008
【図７】
2005311631.tif 000009
【図８】
2005311631.tif 000010